(57)【要約】      （修正有）【課題】硬質の樹脂製や金属製の素材を用い水槽栽培装置の所定位置に水槽のサイズに制限なく、簡単に組み立て、その全部または一部を分解することが可能な水耕栽培用水槽を提供する。【解決手段】水耕栽培用水槽１は、基台２上に上方に開口する平面視四角形状の箱状の囲いの側壁を形成するように、内外壁のそれぞれの上部にその長さ方向に連続した被係合溝を備える所定長さの複数の壁枠構成部材３を配置、固定し、その内部に平面視四角形状を有し、その四隅を切り欠いて四隅部が形成された柔軟性のある防水シート４を敷設し、壁枠構成部材の被係合部溝に係合可能な係合部をそれぞれその長さ方向に平行に有する２つの脚部及びこれらを連結する連結部からなる略コの字状の断面形状を有する所定の長さの複数のシート押え部材５によって防水シートの４辺のはみ出し部を押さえつけて固定するようにしたものである。【選択図】図１
0003231365.tif 000002
【実用新案登録請求の範囲】
【請求項１】
基台と、内外壁のそれぞれの上部にその長さ方向に連続した被係合溝を備える所定長さの複数の壁枠構成部材と、平面視四角形状を有し、その四隅を切り欠いて四隅部が形成された柔軟性のある防水シートと、前記壁枠構成部材の被係合部溝に係合可能な係合部をそれぞれその長さ方向に平行に有する２つの脚部及びこれらを連結する連結部からなる略コの字状の断面形状を有する所定の長さの複数のシート押え部材とからなり、
前記複数の壁枠構成部材は、前記基台上に上方に開口する平面視四角形状の箱状の囲いの側壁を形成するように配置されて当該基台に固定され、前記防水シートは前記囲いの内部に敷設され、その４辺の当該囲いの外側にはみ出した部分を上方から押さえ付けるように、前記側壁に沿って順次前記壁枠構成部材の上部に前記複数のシート押え部材を係合させて固定するようにしたことを特徴とする水耕栽培用水槽。
【請求項２】
前記壁枠構成部材は、ベース部と、当該ベース部から立設する上部領域に前記被係合溝を備える外壁部及び内壁部とを含み、当該壁枠構成部材の長さ方向に開口する中空体である請求項１に記載の水耕栽培用水槽。
【請求項３】
前記ベース部は、前記は外壁部からさらに外側に張り出した板状体である請求項２に記載の水耕栽培用水槽。
【請求項４】
前記シート押え部材の前記連結部上面には、当該シート押え部材の長さ方向に栽培プレート移動補助手段が設けられてなる請求項１〜３のいずれか1項に記載の水耕栽培用水槽。
【請求項５】
前記栽培プレート移動補助手段は、前記シート押え部材の連結部上面の中央領域に設けられ、当該シート押え部材の長さ方向に平行に設けられた突条である請求項４に記載の水耕栽培用水槽。
【請求項６】
前記栽培プレート移動補助手段は、前記突条に前記シート押え部材の長さ方向所定の間隔で設けられた切り込みにコロ車を収めたものである請求項５に記載の水耕栽培用水槽。
【考案の詳細な説明】
【技術分野】
【０００１】
本発明は、水耕栽培装置に設置される水槽として簡単に組立、分解することができる水耕栽培用水槽に関する。
【背景技術】
【０００２】
近年、高品位の農産物の生産が１年中安定して可能であること、農産物の品質・規格の統一化が図れること、労働作業が軽易であること、無農薬で安全、安心なことなどのメリットがあるため、植物工場の建設が進められている。そして、ほとんどの植物工場では、従来の土壌栽培における肥料の過多による連作障害などの弊害を回避するために、培養液条件を制御しやすい水耕栽培技術を活用している。水耕栽培技術には固形培地を使用するもの、使用しないものなどいくつかの方式があるが、いずれの方式においても窒素、カリウム、リンなどの成分を含む肥料を溶解した養液を用いる。特に固形培地を用いない狭義の水耕栽培（以下、単に「水耕栽培」という。）は、土壌で農作物を育てる代わりに、養液中で農作物を育成するものである。そして、水耕栽培装置によっては、多数の貫通孔のそれぞれに植物を挿通して支持する栽培プレートを水槽の上に蓋をするように載せ、植物の生育とともに当該栽培プレートを水槽の長さ方向に移動させる方式がある。
【０００３】
従前より、このような水耕栽培に用いられる水槽として、何等かの素材で形成された上方に開口する箱に防水シートを布設した水槽を用いる提案がいくつかなされている。例えば、特許文献１は、水槽として発泡スチロ−ルや樹脂成形品や肉厚のシ−トよりなる箱状の上に安価な薄い防水フィルムを敷設したものを提案するが、水槽の組み立てはそもそも想定されていない。一方、特許文献２は、水槽に敷設するシートを提案し、このシートを用いる水槽本体は、断面凹状に形成した発泡樹脂製の槽部材を長手方向に複数配列して簡単に構成されている。しかし、この遭部材は発泡樹脂製であるため、外力により破損する可能性が高く、一部の槽部材が破損した場合、水槽内に張った養液をすべて排出した上で破損した槽部材を取り換えることが必要になると予想される。また、これらの特許文献１、２に記載の水槽は、水耕栽培装置において栽培プレートを水槽の長さ方向に移動させる水耕栽培装置では、防水シートがずれたり破損したりする危険性があるため、使用できない。
【先行技術文献】
【特許文献】
【０００４】
【特許文献１】特開平７−１８４４８８号公報
【特許文献２】特開２０１７−１４３８００号公報
【考案の概要】
【考案が解決しようとする課題】
【０００５】
本考案は、前記事情に鑑み鋭意検討を重ねた結果なされたものであり、硬質の樹脂製や金属製の素材を用い水槽栽培装置の所定位置に水槽のサイズに制限なく、簡単に組み立て、その全部または一部を分解することが可能であり、外力を受けた場合に水槽自体の破損や防水シートのズレ・破損による漏水を生じない水耕栽培用水槽を提供することを目的とする。
【課題を解決するための手段】
【０００６】
前記目的は、本考案の一局面によれば、基台と、内外壁のそれぞれの上部にその長さ方向に連続した被係合溝を備える所定長さの複数の壁枠構成部材と、平面視四角形状を呈し、四隅を切り欠いて四隅部が形成された柔軟性のある防水シートと、前記壁枠構成部材の被係合部溝に係合可能な係合部をそれぞれその長さ方向に平行に有する２つの脚部及びこれらを連結する連結部からなる略コの字状の断面形状を有する所定の長さの複数のシート押え部材とからなり、前記複数の壁枠構成部材は、前記基台上に上方に開口する平面視四角形状の箱状囲いの側壁を形成するように配置されて当該基台に固定され、前記防水シートは前記側壁の内部に敷設され、その４辺の当該囲いの外側にはみ出した部分を上方から押さえ付けるように、前記囲いに沿って順次前記壁枠構成部材の上部に前記複数のシート押え部材を係合させて固定するようにしたことを特徴とする水耕栽培用水槽によって達成される。
【０００７】
栽培プレートを水槽の長さ方向に移動させる水耕栽培装置の場合、当該栽培プレートを容易に移動させるべく、前記シート押え部材の前記連結部上面に栽培プレート移動補助手段を設けることができる。この栽培プレート移動補助手段としては、前記連結部上面にその長さ方向に突条を設け、又は当該突条の長さ方向に所定の間隔で切りこみを入れ、それぞれの切り込みにコロ車を収めたものなどが挙げられる。
【考案の効果】
【０００８】
本考案によれば、基台上に複数の壁枠構成部材を平面視四角形の箱状の囲いにおける側壁を形成するように配置、固定し、その内部に防水シートを布設し、当該防水シートを４辺のそれぞれでシート押え部材により固定するようにしたので、水耕栽培装置の所定の設置位置にサイズの制限なく簡単に水槽を組立て、またその全部または一部を分解することができる。また、シート押え部材を用いることで、水耕栽培装置において栽培プレートを移動させる必要のある場合に、このシート押え部材があることにより防水シートがずれたり破損したりすることがない。
【０００９】
また、本考案の水耕栽培用水槽におけるシート押え部材の上面には栽培プレート移動補助手段を設けるようにしたことで、当該補助手段の上に載せた栽培プレートを移動させる必要のある場合に、当該栽培プレートを容易に移動させることができ、使用者のこの作業における負担を著しく軽減できる。
【図面の簡単な説明】
【００１０】
【図１】本考案の水耕栽培用水槽の一実施形態を示す斜視図である。
【図２】図１に示す実施形態における壁枠構成部材及びシート押え部材を示す断面図及び側面図である。
【図３】壁枠構成部材及びシート押え部材のいくつかのバリエーションを示す断面図である。
【図４】シート押え部材の別のバリエーションを壁枠構成部材とともに示す断面図及び側面図である。
【図５】図１に示す実施形態における防水シートの一例を示す展開図である。
【図６】本考案の水耕栽培用水槽の使用状況を示す断面図である。
【考案を実施するための形態】
【００１１】
以下、図面を参照して、本考案の水耕栽培用水槽の一実施形態について詳細に説明する。図１は、本考案の水耕栽培用水槽の一実施形態組立後の斜視図を、また図２は図１における壁枠構成部材及びシート押え部材の断面図（図２（ａ））及び側面図（同図（ｂ））を示している。また、図３は、壁枠構成部材及びシート押え部材のいくつかのバリエーションを断面図により示したものであり、図４は特にシート押え部材のさらに別のバリエーションの断面図及び側面図である。これらの図に示すように、本実施形態の水耕栽培用水槽１は、基台２と、壁枠構成部材３と、防水シート４と、シート押え部材５とから構成されている。なお、以下の各図において、同一の部分や共通する各部には同一の符号を付している。また、以下に記載の本考案の実施形態は一例であり、その本質を同一とする範囲において適宜変更可能である。
【００１２】
（基台２）
基台２としては、水耕栽培装置における本考案の水耕栽培用水槽を据え付ける架台の状況などによって種々の形態のものを使用できる。例えば、架台がフレームのみで形成されたラックの場合、図１に示すように、基台２は略矩形の平面形状を有する硬質、中実の板状体とし、これをラック上に載置することができる。この板状体は中空であってもよい。この場合、基台２は、本考案の水耕栽培用水槽１の水耕栽培装置（不図示）における所定の据え付け位置に合わせてその平面サイズ及び厚さが設計される。基台２の下面には、水耕栽培装置の所定位置に据え付けるのに必要であれば、事前に金属製又は樹脂製のアングル材、角材などの補強材を適宜配置・固定できる。このように補強材を用いることで、基台２のたわみを軽減できる利点がある。また、フレームラックの構造上可能であれば、基台２はいくつかの部分に分割できるものであってもよい。
【００１３】
基台２の材質は、硬質であれば、樹脂、金属のいずれであってもよい。硬質の樹脂板としては、例えば、ポリエチレン（ＰＥ）、ポリプロピレン（ＰＰ）、ポリアミド（ＰＡ）、ポリカーボネート（ＰＣ）、ポリアセタール（ＰＯＭ）、ポリ塩化ビニル（ＰＶＣ）、ポリスチレン（ＰＳ）、アクリロニトリル・ブタジエン・スチレン（ＡＢＳ）、ポリエチレンテレフタレート（ＰＥＴ）などの熱可塑性樹脂が挙げられる。前記熱可塑性樹脂の代わりに、汎用の熱硬化性樹脂を用いてもよい。また、金属の具体例としては、鉄、ステンレス、アルミニウムなどが挙げられる。基台２としては、これらの樹脂又は金属の中から適宜選択して板状に成型したものを使用できる。また、必要であれば、これらの樹脂や金属からなる板状体を積層するなど適宜組み合わせて使用できる。
【００１４】
なお、本考案の水耕栽培用水槽を据え付けるフレームラックが棚板を備えている場合、棚板をそのまま基台２として活用し、当該棚板上の外周領域に壁枠構成部材３を固定することもできる。また、フレームラックのフレームがアングル材や角材で構成され、当該フレームの平坦面が水平かつ上向きに形成されていれば、このフレームに壁枠構成部材３を固定してもよい。棚板がその長さ方向の縦桟又は幅方向の横桟で構成されている場合には、桟の取り付け間隔によっては、必要に応じて前記した材質の板状体（１枚物でも複数に分割できる物でもよい。）を用い、縦桟又は横桟の露出する部分を覆うことができる。
【００１５】
（壁枠構成部材３）
壁枠構成部材３は、上方に開口する平面視四角形状の箱状の囲いの側壁を形成するように基台２の上に配置、固定される。壁枠構成部材３は、基台２上に側壁として形成できるものであれば、その断面形状は特に限定されない。本実施形態においては、壁枠構成部材３の断面は、ベース部３１、内壁部３２、外壁部３３及び頂部３４からなる中空体とされている。これら各部の肉厚は適宜設定可能であり、略同等であってもよく、異なっていてもよい。なお、壁枠構成部材３はこのような中空体ではなく、中実の成形体であってもよい。（その場合、内壁部３２及び外壁部３３はそれぞれ、内壁面３２及び外壁面３３と読み替えるものとする。）
【００１６】
壁枠構成部材３の長さについては特に制限がなく、適宜の長さに設定できるが、本考案では、壁枠構成部材３を所定の長さを有するものとする。ここで、「所定の長さ」は１種類の長さに限定されるものではなく、複数種類の長さ（例えば１ｍ、２ｍ、３ｍなど）の組み合わせをも意味することとする。壁枠構成部材３は、所定の長さのものを複数用い、これらを基台２上にその長さ方向及び幅方向に略直線状に配置、固定されるが、実際上のハンドリングなどを考慮すると、壁枠構成部材３の長さを例えば水槽の短辺と略同等の長さ、又は１ｍなどの１種類の長さ単位に統一する方が好ましい。
【００１７】
壁枠構成部材３におけるベース部３１は、その下面が基台２に固定される板状体であり、外壁部３３より外側に張り出した平面視略四角形の平面形状を備えている。この張り出した部分の幅（長さ方向に直交する方向の長さ）は適宜設定できる。このように張り出した部分を有することで、ここに例えばビス、ボルト・ナット、リベット、フック、クランプなどの留め具を用いることにより壁枠構成部材３を基台２上に固定できる。特にアングル材などのフレームに壁枠構成部材３を固定する場合にはクランプが好適に使用できる。また、ベース部３１を基台２に両面テープ、接着剤、粘着剤など用いて接着固定することもできる。後者の場合、張り出した分だけベース部３１の基台２との接触面積を大きくすることで、接着剤や両面テープへの基盤２に平行な方向（せん断方向）の荷重を大きく設計できるため、本実施形態の水耕栽培用水槽内に養液を投入した場合に、当該養液から壁枠構成部材３に受ける圧力に抗しやすくなる。
【００１８】
内壁部３２及び外壁部３３は、図１及び図２に示す実施形態では、ベース部３１の２つの長辺の一方の縁及び中央領域からそれぞれその全長にわたり適宜の間隔で略垂直に立設された板状体で構成されている。この内壁部３２と外壁部３３とは略平行に立設されているが、これに限定されず、外壁部３３が上方に向かうにつれて内壁部３２に接近するように外壁部３３が傾斜するように形成することもできる。
【００１９】
内壁部３２は、図３（ａ）〜（ｃ）及び図４に示すように、ベース部３１側の下部領域をその全長にわたり下に凸の湾曲状に形成することもできる。このように湾曲状に形成することで、後述する防水シート４を敷設する際に、防水シート４を内壁部３２の内面に接触させ隙間のない状態とすることができる。この場合、内壁部３２の湾曲状に形成した部分の上側の略垂直な部分と外壁面３３との間隔は図２に示した例よりも小さく設定ことができる。
【００２０】
内壁部３２及び外壁部３３のそれぞれの上部には、これらの長さ方向に連続した被係合溝３５が形成されている。この被係合溝３５は、図１〜図４の例では、その縦断面が略三角形状に形成されているが、これに限定されず、半円形状、楕円形状などに形成されたものであってもよい。
【００２１】
内壁部３２と外壁部３３との上端は連結され、図１〜図４に示すように、ベース部３１と略平行となるように頂部３４が形成されている。本実施形態では、この頂部３４を設けることとしているが、頂部３４を設けず、内壁部３２及び外壁部３３は、被係合溝３５をそれぞれ備えていれば、これらの上端縁のべース部３１からの垂直高さが略同等に立設されているだけでもよい。
【００２２】
壁枠構成部材３の材質については特に制限がなく、前記例示の硬質の樹脂や金属のいずれであってもよく、２種以上の樹脂又は金属の組み合わせや樹脂と金属との組み合わせであってもよい。実際には、ハンドリングなどを考慮すると、壁枠構成部材３は金属よりも軽量となる硬質の樹脂で形成されている方が好ましい。
【００２３】
前記した構成の壁枠構成部材３は、従来公知の成形方法によって成形できる。壁枠構成部材３が硬質の樹脂製又は金属製の中空体である場合には、例えば押出成形法などを、また中実体である場合には、例えば押出成形法、圧縮成形法などを適宜採用できる。また、樹脂製又は金属製の帯状体を適宜切断した上で溶接、接着などにより形成してもよい。
【００２４】
（防水シート４）
防水シート４には、不透水性を備え且つ柔軟性を有する例えば０．１〜１ｍｍの範囲の肉厚の樹脂製のシート（フィルムと言われるものも含むものとする。）を使用できる。防水シート４の色は特に制限はないが、黒色などの暗色系であり、遮光性を備えていることが好ましい。防水シート４を構成する樹脂としては、前記例示の樹脂類のうちの１種又は複数種の組み合わせが挙げられる。また、防水シート４は同種又は異種の樹脂シートを少なくとも２層積層したものであってもよい。
【００２５】
防水シート４の展開図の一例を図５に示す。この図に示すように、防水シート４は平面視四角形状を有している。その幅及び長さは、水耕栽培装置内に組み立てられる本実施形態の水耕栽培用水槽のサイズに応じて適宜設定される。また防水シート４のそれぞれの四隅は、図５に示すように、略Ｌ字状又は鉤状に切り欠かれて四隅部４３，４３，４３、４３が形成されるとともに、向き合う２つの長辺にはそれぞれ長辺はみ出し部４１，４１が、また向き合う短辺にはそれぞれ短辺はみ出し部４２、４２が形成されている。長辺はみ出し部４１、４１及び短辺はみ出し部４２、４２はそれぞれ、後述するシート押え部材５によって前記した壁枠構成部材３に押さえ付けられる部分を含んでいる。
【００２６】
（シート押え部材５）
シート押え部材５は、平行に配置された２つの脚部５２、５２のそれぞれの一端を連結部５１で連結したコの字状の断面形状を有している。シート押え部材５の長さは適宜設定でき、前記した壁枠構成部材３と略同等の長さにしてもよく、それよりも相対的に短くしても長くしてもよい。好ましくは、壁枠構成部材３の所定の長さ単位と略同等の長さに設定するのがよい。２つの脚部５２、５２の幅（これらの下端の連結部５１からの突出長さ）はそれぞれ、壁枠構成部材３の非係合溝３５に達する長さに設定されている。また、連結部５１の幅は、２つの脚部５２、５２によって壁枠構成部材３の上部領域に防水シート４を挟み込むことが可能な長さに設定されている。
【００２７】
２つの脚部５２、５２の内面の最下端部分にはそれぞれ、シート押え部材５の長さ方向に平行に互いに向かい合って係合部５３が突出して設けられている。この係合部５３、５３は、壁枠構成部材３の被係合部３５、３５に係合可能に構成されている。図２〜図４の例では、それぞれの係合部３５は、壁枠構成部材３が備える被係合溝３５に係合可能な略三角形の断面形状を有する突条とされているが、その断面形状には特に制限がなく、壁枠構成部材３の被係合溝３５と同様、これに係合可能な略半円形、略楕円形などであってもよい。また、それぞれの係合部５３は突条でなく、前記のような突起を適宜の間隔で配列したようなものであってもよい。
【００２８】
シート押え部材５の連結部５１の上面中央には、図３（ｂ）に示すように、その長さ方向に平行にシート押さえ部材５の全長にわたり突条５４を設けることができる。この突条５４の断面形状は略半円形とされている。また別の例として、図３（ｃ）に示すように、断面略矩形状の突条５５であってもよい。さらに別の例として、図４に示すように、この突条５５にその長さ方向に所定の間隔で切り込み５５ａ、５５ａ、５５ａ、・・・を設け、それぞれの切り込み５５ａにコロ車５６をはめ込むようにしてもよい。このコロ車５６は、例えば図４に示すように、適宜の長さの軸の両端領域に回転輪を設けたものとし、この中間の露出した軸の部分を切り込み５５ａにはめ込むものである。このように、シート押え部材５の連結部５１の上面に突条５４、５５やコロ車５６を設けることで、後述するように、本実施形態の水耕栽培用水槽１の上にこれに蓋をするように栽培プレート６を当該水槽１の長さ方向に移動させる際に、栽培プレート６を突条５４、５５やコロ車５６で支持でき、栽培プレート６を移動させ易くなる栽培プレート移動補助手段として機能する。
【００２９】
（本実施形態の水耕栽培用水槽の組立）
次に、本実施形態の水耕栽培用水槽の組立方法について詳細に説明する。まず、設計図などに基づいて水耕栽培装置に設置する水槽の設置位置やサイズを決定する。その決定事項に基づき、基台２のサイズを決定し、そのサイズの基盤２を用意する。その上に、上方に開口する平面視四角形状の箱状の囲いの側壁を形成するように、複数の所定の長さ単位の壁枠構成部材３を配置して両面テープなどで接着し、又はねじ留めにより固定する。
その際、隣り合う壁枠構成部材３、３は、それらが略直線状に配置されていれば、多少の隙間があってもよく、またこれらの間は公知の連結具などを用いて連結する必要がない。
【００３０】
そうして形成された箱状の囲い内にロール状に巻回され、あるいは折りたたまれている防水シート４を展開して敷設する。その際、防水シート４は箱状の囲い内の周壁及び底面（基台２）に沿わせて密着させ、四隅部４３のそれぞれは図５に示すように対角に折り込む。折り込んだ四隅部４３はそれぞれ、図１に示すように、当該入隅部において直角に配置固定された壁枠構成部材３、３の間の隙間を通して囲いの外側に出しておく。なお、折り込んだそれぞれの四隅部４３は、箱状の囲いの入隅部と防水シート４との間に収容してもよく、防水シート４の水槽１内に折り込んだままにしておいてもよい。
【００３１】
その上で、箱状の囲いの４辺から外側にはみ出した長辺はみ出し部４１，４１及び短辺はみ出し部４２、４２を押さえ付けるようにシート押え部材５を箱状の囲いを構成する壁枠構成部材３の上に順次かぶせていく。その被係合部３５にシート押え部材５の係合部５３を係合させて箱状の囲いの全周にわたり防水シート４を固定し、図１に示すような本実施形態の水耕栽培用水槽１が完成する。その後、この水耕栽培用水槽１に養液を流しこみ、栽培プレートを載せて水耕栽培が行われる。
【００３２】
図６は、本実施形態の水耕栽培用水槽１の使用状況を示しており、水槽１の長さ方向に直交する方向（幅方向）の断面図である。この図の例では、栽培プレート６は鍔略Ｕ字形の断面を有する平面視略四角形状の板状体であり、その中央領域の下面が水槽１の長さ方向に平行な側壁のシート押え部材５の連結部５１の上面より低く形成され、水槽１内の養液Ｗの液面により接近するようになっている。そして、その中央領域には複数の貫通孔６ａが設けられ、それぞれの貫通孔６ａに植物Ｐが差し込まれ、それぞれの植物Ｐの根は養液中に浸かっている。また、栽培プレート６の鍔部６１は、この中央領域よりも高い位置にあり、鍔部６１の下面が水槽１の長さ方向に平行な側壁のシート押え部材５における栽培プレート移動補助手段５５によって支持されている。このように栽培プレート６を栽培プレート移動補助手段５５によって支持することで、栽培プレート６の鍔部６１とシート押え部材５との間で接触面積が大きくなる場合よりも水耕栽培を行う上で栽培プレートを必要に応じて水槽１の長さ方向に移動させる際に移動させ易くなり、使用者のこの作業への負担を軽減できる。
【００３３】
また図６に示す例において、図５に示すコロ車５６を備えるシート押え部材５を用いた場合、このコロ車５６によって栽培プレート６を支持することになり、さらに栽培プレート６を移動させ易くなり、さらに著しく使用者の負担を軽減できる。
【００３４】
以上説明したように、本考案の水耕栽培用水槽は、これを水耕栽培装置の所定の位置にそのサイズに制限なく簡単に組み立てることができ、またその全部もしくは一部を分解することができる。一部を分解できるようにすることで、養液が部分的に汚濁した場合に、その部分の養液だけ廃液することができるようになる。また、シート押え部材を用いて防水シートを固定するようにしているので、水耕栽培装置において栽培プレートを移動させる必要のある場合に、防水シートがずれたり破損したりすることがない。さらに、本考案の水耕栽培用水槽におけるシート押え部材の上面には栽培プレート移動補助手段を設けることができるので、栽培プレートを容易に移動させることができ、使用者のこの作業における負担を著しく軽減できる。
【符号の説明】
【００３５】
１・・・水耕栽培用水槽、  ２・・・基台、  ３・・・壁枠構成部材、  ３１・・・ベース部、  ３２・・・内壁部、  ３３・・・外壁部、  ３５・・・被係合溝、  ４・・・防水シート、  ４１・・・切り欠き部、  ５・・・シート押え部材、  ５１・・・連結部、  ５２・・・脚部、  ５３・・・係合部、  ５４、５５、５６・・・栽培プレート移動補助手段、  ６・・・栽培プレート、  ６１・・・鍔部、  ６ａ・・・貫通孔
【図１】
0003231365.tif 000003
【図２】
0003231365.tif 000004
【図３】
0003231365.tif 000005
【図４】
0003231365.tif 000006
【図５】
0003231365.tif 000007
【図６】
0003231365.tif 000008